(57)【要約】【課題】パチンコ遊技機の外周枠付近までパチンコ遊技機の一部があるような場合においても、パチンコ遊技機を島に固定することができるような取付け装置を提供する。【解決手段】下部取付け装置１は、本体部１０、フレーム部２０、押圧体３０、アーム部４０、リンク片、及び操作レバー６０を備える。下部取付け装置１は、押圧体３０による押圧を解除した状態で島下板の上面に対して略４５度の位置にある操作レバー６０を、矢印Ｒの方向へ操作レバー６０が略０度の位置にくるように引き下げることにより、外周枠の底面に対して押圧体３０が押圧されるようになっている。【選択図】図１
2010269088.tif 000002
【特許請求の範囲】
【請求項１】
その内側にパチンコ遊技機が取付けられた矩形の外周枠を、その上に前記外周枠を載置するための下板を備えたパチンコ遊技機設置用の島に固定するために用いられるものであり、その底面を前記下板に当接させられ且つその上下方向の移動を制限された前記外周枠の底面を上向きに押圧するようになっている、前記下板に設けられた凹部の内部にその一部が位置するように設置されるパチンコ遊技機の取付け装置であって、
前記下板の底面に固定することができるようになっている本体部と、
前記本体部を前記下板の底面に固定した状態で、前記凹部の内部に位置するように前記本体部に接続されて設けられ、上向きに移動させることにより前記外周枠の底面を押圧することができる押圧体と、
少なくともその一部が前記凹部の外部に位置するようになっており、回動操作により前記押圧体を上向きに移動させることができるようになっている操作レバーと、を備える、
取付け装置。
【請求項２】
前記外周枠が木製であり、前記押圧体が前記外周枠の前記底面に食い込むようになっている固定用爪を備える、
請求項１記載の取付け装置。
【請求項３】
前記本体部は、前後方向に移動することができるようにされ、かつ所望の位置に位置決めできるようにされており、その先端に前記外周枠の背面を当接させる当接部を有するアジャスタをさらに備え、
前記押圧体による前記外周枠の底面に対する押圧を解除した状態で、前記アジャスタを移動させて位置決めした前記当接部の先端にその背面を当接させた前記外周枠を前記押圧体で押圧することにより、前記本体部に対する前記外周枠の前後方向の位置を調整した状態で前記外周枠を固定できるようになっている、
請求項１記載の取付け装置。
【請求項４】
その先端が前記押圧体に、その基端が前記本体部に設けられた第１軸に接続されており、かつ、その入隅部側が上向きになっており、前記基端を中心にして前記第１軸に対して回動することができるようになっている、略Ｌ字形状のフレーム部と、
板状の構造を有し、前記フレーム部の略Ｌ字形状の２方向のうち前記先端が含まれる一辺に沿う方向に、その面を当該方向に対して垂直にした状態で平行移動できるようにして配されている押し板と、
その一端が前記押し板に、他端が前記フレーム部の先端付近に当接し、前記押し板と前記フレーム部を遠ざける方向に力を加えている弾性体と、
その基端が前記第１軸に、その先端が前記フレーム部の中間点に設けられた第２軸に接続されており、かつ、当該先端付近の一部が前記押し板に当接しており、前記操作レバーの回動操作により前記基端を中心にして前記第１軸に対して回動し、前記押し板を前記押圧体方向に押圧することができるようになっているアーム部と、をさらに備え、
前記操作レバーを回動操作した場合に、前記アーム部が、前記押し板、及び前記弾性体を介して、前記フレーム部を前記フレーム部の前記先端が含まれる前記一辺に沿う方向を当該先端に向かって押圧し、前記フレーム部は前記フレーム部の前記基端を中心にして前記第１軸に対して回動し、前記フレーム部の前記先端に接続された前記押圧体を上向きに付勢することができるようになっている、
請求項１記載の取付け装置。
【請求項５】
請求項１に記載の取付け装置と、前記外周枠の上方向の移動を制限するための上部取付け装置と、を組み合わせてなる取付け装置セットであって、
前記上部取付け装置は、前記外周枠の上面を下向きに押圧するようになっている、
取付け装置セット。
【発明の詳細な説明】
【技術分野】
【０００１】
本発明は、一般に「島」と呼ばれる遊技機設置台ユニットにパチンコ遊技機の外周枠を取付けるための取付け技術に関する。
【背景技術】
【０００２】
パチンコ遊技機は、一般的に、島と呼ばれる遊技機設置台ユニットに取付けて使用される。より詳細には、パチンコ遊技機は、通常は４枚の板材を矩形に組み合わせて作られる所定幅の外周枠の内側に固定した後、その外周枠を島に固定することにより、島に取付けられる。
従来、外周枠の島への取付けは、島のテーブルの上に外周枠を載置した上で、島が木製であるのが通常であるということもあり、釘や木ねじ等を用いて行っている。
【０００３】
しかしながら、釘や木ねじを使用して行う従来の外周枠の島への固定は、固定の際にも、一度島へ固定した外周枠を島から取り外す際にも手間がかかる。島に取付けられた後においてもパチンコ遊技機はその傾斜角度などに調整の必要が生じる場合もあるので、外周枠の島への固定、取外しの手間はばかにならない。
【０００４】
このような点を考慮し、本願発明者らは、先に特開平１０−８０５６３として新たなパチンコ遊技機の取付け装置を提案した。この装置による取付け装置の一部の概略は以下の通りである。図１３に示すように、取付け装置２００は、本体部２０１、押圧体２０２、及び操作レバー２０３を有している。本体部２０１は、島Ｙの島下板Ｙ１の上面にビス止めするための平板部２０４に鞍部２０５とアジャスタ用板２０６を設けた構造とし、そのアジャスタ用板２０６にアジャスタボルト２０７を組付ける。押圧体２０２は、Ｌ字状に形成したフレーム部２０８の先端にボルト構造の押圧棒２０９を組付けて形成し、そのフレーム部２０８の基端を本体部２０１の鞍部２０５にリンク的に接続して設ける。
操作レバー２０３は、その先端をフレーム部２０８にリンク的に接続すると共に、その中間部を本体部２０１の鞍部２０５に対しリンク片２１０によりリンク的に接続して設ける。この取付け装置は、図１３のようにパチンコ遊技機Ｘの外周枠Ｘ１下部の上面に対して押圧体２０２を上方向から当接させた状態で用いる。取付け装置による固定を解除した状態で、アジャスタボルト２０７を調節することでパチンコ遊技機Ｘの外周枠Ｘ１と本体部２０１との位置関係を調整することができる。操作レバー２０３を矢印Ｒの方向に引き下げることで、外周枠Ｘ１を押圧体２０２により底面との間で狭圧することができ、パチンコ遊技機Ｘを島Ｙへ固定する。一方操作レバー２０３を矢印Ｌの方向に引き上げると押圧体が矢印Ｒの方向に上がり、固定を解除する。
【発明の概要】
【発明が解決しようとする課題】
【０００５】
しかし、近年のパチンコ遊技機には、様々な大きさのものがあり、そのなかにはパチンコ遊技機の外周枠付近までパチンコ遊技機の部品があるような場合がある。そのような場合、従来の取付け装置のように、押圧体をパチンコ遊技機の外周枠下部の上面に対して上方向から当接させた状態で押圧体を下向きに押圧し、外周枠の下部を島の底面との間で狭圧することで固定するようになっていると、パチンコ遊技機の外周枠の内側のパチンコ遊技機の一部と取付け装置の一部が互いに邪魔となり取付け装置を装着することができないことがある。近年では、例えば、パチンコ遊技機から音声等を出力するためのスピーカーの一部が、取付け装置を取付ける際に邪魔となることがある。
また、パチンコ遊技機は外周枠に固定された状態で店舗に搬入されることが多いが、従来は外周枠を島に固定する際に外周枠の内側から外側の島に向かう方向に釘等を打ち込み固定するような方法が多いため、外周枠にパチンコ遊技機が固定された状態だとそのままでは外周枠を島に固定することができない場合がある。そのため、一旦外周枠からパチンコ遊技機を外し、外周枠だけの状態で外周枠を島に固定し、その後再びパチンコ遊技機を外周枠に固定し直す必要があり、取付け作業が繁雑なものなる。
そこで、本発明は、上述の課題を解消するべく創出されたもので、パチンコ遊技機がすでにパチンコ遊技機の外周枠に固定された場合や、さらに外周枠付近までパチンコ遊技機の一部があるような場合においても、パチンコ遊技機を島に固定することができるような取付け装置を提供することを目的としている。
【課題を解決するための手段】
【０００６】
本願発明者は、上述の課題を解決するために、以下のような取付け装置を提案する。
【０００７】
本発明の取付け装置は、その内側にパチンコ遊技機が取付けられた矩形の外周枠を、その上に前記外周枠を載置するための下板を備えたパチンコ遊技機設置用の島に固定するために用いられるものであり、その底面を前記下板に当接させられ且つその上下方向の移動を制限された前記外周枠の底面を上向きに押圧するようになっている、前記下板に設けられた凹部の内部にその一部が位置するように設置されるパチンコ遊技機の取付け装置であって、前記下板の底面に固定することができるようになっている本体部と、前記本体部を前記下板の底面に固定した状態で、前記凹部の内部に位置するように前記本体部に接続されて設けられ、上向きに移動させることにより前記外周枠の底面を押圧することができる押圧体と、少なくともその一部が前記凹部の外部に位置するようになっており、回動操作により前記押圧体を上向きに移動させることができるようになっている操作レバーと、を備えるものである。
このような取付け装置では、パチンコ遊技機の外周枠の底部を上向きに押圧するようになっているため、パチンコ遊技機が外周枠に固定されている場合やパチンコ遊技機の部品等が外周枠の底部付近まである場合等、パチンコ遊技機の外周枠の内側の状態とは無関係に、パチンコ遊技機を島に固定することができる。
【０００８】
本発明の取付け装置は、前記外周枠が木製であり、前記押圧体が前記外周枠の前記底面に食い込むようになっている固定用爪を備えるようになっていてもよい。
パチンコ遊技機の外周枠が木製であり、外周枠の底面に押圧体の固定用爪が食い込むようになっていれば、取付け装置のパチンコ遊技機の外周枠への固定をより強固なものとすることができる。
【０００９】
前記本体部は、前後方向に移動することができるようにされ、かつ所望の位置に位置決めできるようにされており、その先端に前記外周枠の背面を当接させる当接部を有するアジャスタをさらに備え、前記押圧体による前記外周枠の底面に対する押圧を解除した状態で、前記アジャスタを移動させて位置決めした前記当接部の先端にその背面を当接させた前記外周枠を前記押圧体で押圧することにより、前記本体部に対する前記外周枠の前後方向の位置を調整した状態で前記外周枠を固定できるようになっていてもよい。
このようなアジャスタを備えることにより、パチンコ遊技機の外周枠の下部と取付け装置の本体部との前後方向の位置関係を調節できる。一般にパチンコ遊技機は、ある傾きを与えて取付けられるが、外周枠との前後方向の位置決めを可能とすることで、パチンコ遊技機の傾き調整に寄与することができる。
【００１０】
本発明の取付け装置は、その先端が前記押圧体に、その基端が前記本体部に設けられた第１軸に接続されており、かつ、その入隅部側が上向きになっており、前記基端を中心にして前記第１軸に対して回動することができるようになっている、略Ｌ字形状のフレーム部と、板状の構造を有し、前記フレーム部の略Ｌ字形状の２方向のうち前記先端が含まれる一辺に沿う方向に、その面を当該方向に対して垂直にした状態で平行移動できるようにして配されている押し板と、その一端が前記押し板に、他端が前記フレーム部の先端付近に当接し、前記押し板と前記フレーム部を遠ざける方向に力を加えている弾性体と、その基端が前記第１軸に、その先端が前記フレーム部の中間点に設けられた第２軸に接続されており、かつ、当該先端付近の一部が前記押し板に当接しており、前記操作レバーの回動操作により前記基端を中心にして前記第１軸に対して回動し、前記押し板を前記押圧体方向に押圧することができるようになっているアーム部と、をさらに備え、前記操作レバーを回動操作した場合に、前記アーム部が、前記押し板、及び前記弾性体を介して、前記フレーム部を前記フレーム部の前記先端が含まれる前記一辺に沿う方向を当該先端に向かって押圧し、前記フレーム部は前記フレーム部の前記基端を中心にして前記第１軸に対して回動し、前記フレーム部の前記先端に接続された前記押圧体を上向きに付勢することができるようになっていてもよい。
このような取付け装置では、操作レバーの回動操作に対応してアーム部が回動し、回動するアーム部に押圧された押し板により弾性体を介してフレーム部が回動する。フレーム部の先端に接続された押圧体は、フレーム部の回動により、押圧体の上に位置するパチンコ遊技機の外周枠の底面を上向きに付勢することができる。
【００１１】
また、本願発明者は、以下のような取付け装置セットを提案する。
すなわち、本発明の取付け装置と、前記外周枠の上方向の移動を制限するための上部取付け装置と、を組み合わせてなる取付け装置セットであって、前記上部取付け装置は、前記外周枠の上面を下向きに押圧するようになっている、取付け装置セットである。
【図面の簡単な説明】
【００１２】
【図１】本発明の実施形態の下部取付け装置の斜視図。
【図２】本発明の実施形態の下部取付け装置の正面図。
【図３】本発明の実施形態の下部取付け装置の上面図。
【図４】本発明の実施形態の下部取付け装置の断面図。
【図５】本発明の実施形態の下部取付け装置の内部構造を示す斜視図。
【図６】本発明の実施形態の下部取付け装置の内部構造を示す斜視図。
【図７】本発明の実施形態の下部取付け装置を取付けた状態を示す斜視図。
【図８】本発明の実施形態の下部取付け装置及び上部取付け装置を使用した状態を示す斜視図。
【図９】本発明の実施形態の上部取付け装置の平面図。
【図１０】本発明の実施形態の上部取付け装置の斜視図。
【図１１】本発明の実施形態の上部取付け装置の内部構造、及び動作を概略的に示す図。
【図１２】本発明の実施形態の上部取付け装置の内部構造、及び動作を概略的に示す図。
【図１３】従来の下部取付け装置の平面図。
【発明を実施するための形態】
【００１３】
以下に、本発明を実施するための最良の一実施形態を、図面を参照しつつ説明する。
図１〜８は、本実施形態の下部取付け装置１を説明するための図である。図１は下部取付け装置１の斜視図、図２は図１のｘ方向からの正面図、図３は図１のｙ方向からの上面図である。図４は、図２のｚ−ｚ’面における断面図である。図５および図６は、下部取付け装置１の内部構造を示す斜視図であり、図５は後述する本体部１０を除いた状態、図６は図２のｚ−ｚ’面における断面を示すものである。なお、図２−８においては、下部取付け装置１から後述するアジャスタボルト１４を取り外した状態となっている。
【００１４】
この実施形態の下部取付け装置１は、図８に示したような外周枠Ｘ１に取付けられたパチンコ遊技機Ｘを島Ｙに取付けるのに用いられるものである。また、この下部取付け装置１は、上部取付け装置８０と組み合わせて用いられる。
この実施形態の島Ｙは、下側に下部取付部７０を、上側に上部取付部９０を備え、下部取付け装置１は下部取付部７０に、上部取付け装置８０は上部取付部９０にそれぞれ取付けられる。
以下、下部取付け装置１と上部取付け装置８０について順に説明する。
【００１５】
本実施形態の下部取付け装置１は、図１〜６に示すように、本体部１０、フレーム部２０、押圧体３０、アーム部４０、リンク片５０、及び操作レバー６０を備える。
本体部１０は、下方向に開いたコの字形状の断面を有する鞍部１１と、パチンコ遊技機設置用の島Ｙの島下板７１にビス止めするために島下板７１と平行な平面を有し一辺が鞍部１１に接続されている平板部１２と、島下板７１に垂直な平面を有し一辺が鞍部１１に接続されているアジャスタ部１３を備えた構造となっている。アジャスタ部１３は孔を有し、その孔を貫通するようにアジャスタボルト１４が備えられている。アジャスタボルト１４は、その外面にネジ切りを有し、アジャスタ部１３の孔の内部にあるネジ切りに対応した構造となっており、その先端を対象に当接させた状態でネジ方向に回転させることにより、下部取付け装置１とアジャスタボルト１４の先端が接する対象との前後方向の位置を調整できるようになっている。また、本体部１０は、フレーム部２０の側面と底面を覆うようにカバー部１０ａを備える。カバー部１０ａは、後述する軸Ｂが自由に移動できるような穴１０ｂを備える。
【００１６】
フレーム部２０は、側面視でＬ字状の２枚の平板を平行に配置したような形状であり、２枚の平板は後述する爪用板２１及び軸Ａによって互いに接続された構造になっている。フレーム部２０は、その入隅部が上を向くような状態でその基端が本体部１０の鞍部１１に軸Ａを介してリンク的に接続されている。フレーム部２０は、その先端に板状の爪用板２１を備え、その爪用板２１上に設置時において上を向くようになっている３つ爪を有する押圧体３０を備える。フレーム部２０の一部及び押圧体３０は、平板部１２を介して本体部１０を島下板７１に固定した場合に、島下板７１に設けられた凹部の内部に位置するようになっているが、この点については後述する。爪用板２１には、バネ２３を貫通するようにバネ軸２２が接続されており、バネ軸２２はさらにバネ２３の一端に当接するバネ押し板２４も貫通し係止されている。バネ２３は、爪用板２１とバネ押し板２４に挟み込まれるようになっているため、バネ軸２２上を平行移動できるようになっているバネ押し板２４をバネ軸２２に沿って爪用板２１から遠ざけるように付勢することができるようになっている。
【００１７】
押圧体３０は、円盤状の本体の上面に３つ爪を備える構造をしており、爪用板２１の上に接続されている。押圧体３０の３つ爪は金属で構成されており、一般的なパチンコ遊技機の外周枠の底面のように木製の平面に対して押圧させた場合には、その平面に食い込むようになっている。
【００１８】
アーム部４０は、この実施形態では、台形の角を丸くしたような２枚の平板がフレーム部２０の２枚の平板の内側に配された構造になっており、その基端が軸Ａを介して本体部１０の鞍部１１に、先端がフレーム部２０の中間点にある軸Ｂを介してフレーム部２０に接続され、２枚の平板も軸Ａ及び軸Ｂにより互いに接続されている。これにより軸Ａは、外側から鞍部１１、フレーム部２０、アーム部４０と貫通しており、軸Ａに対して回動することができるようになっている。アーム部４０の先端付近の一部は、バネ押し板２４に当接するようになっている。軸Ｂのフレーム部２０側には遊びがあり、軸Ａを中心としてアーム部４０の回動操作をした場合に、遊びの範囲内においてはアーム部４０のみが回動方向に移動するようになっている。より詳細には、軸Ｂはアーム部４０の外側にその一部として構成されており、フレーム部２０と軸Ｂの接続部分は軸Ｂの断面よりも大きい円形の穴Ｂ１となっており、その穴Ｂ１の内側の範囲をアーム部４０の軸Ｂが自由に移動できるようになっている。なお、カバー部１０ａの穴１０ｂは穴Ｂ１よりも大きいため、穴Ｂ１の範囲内での軸Ｂの移動について穴１０ｂが制限するようなことはないようになっている。
【００１９】
リンク片５０は、側面視でＶ字形状の２枚の平板を合わせた構造をしており、その入隅部が下を向くようにして、先端が軸Ｃを介してアーム部４０に、基端が軸Ｄを介して操作レバー６０に接続され、２枚の平板も軸Ｃ及び軸Ｄにより互いに接続されている。リンク片５０は、操作レバー６０を回動操作した場合に、軸Ｃを介して接続されたアーム部４０の先端を、操作レバー６０の回動方向と同じ方向に回動するようになっている。
【００２０】
操作レバー６０は、その一端が軸Ｄを介してリンク片５０に、軸Ｄから所定の距離にある点で軸Ｅを介して本体部１０の鞍部１１に接続されている。押圧体３０による押圧を解除した状態では、操作レバー６０は下部取付け装置１を設置する面に対して略４５度の位置にある。操作レバー６０は、他端を軸Ｅについて回動させることにより、先端に接続されているリンク片５０の基端を回動方向と同じ方向に回動させるようになっている。
【００２１】
上部取付け装置８０は、図９〜１２に示したように構成されている。
図９は、上部取付け装置８０の平面図（図中上側が後方である。）、図１０は、上部取付け装置８０の一端部を拡大して示した斜視図、図１１は、上部取付け装置８０の内部構造を示す図である。
【００２２】
この実施形態の上部取付け装置８０は、板状のベース部材１１０を備えている。ベース部材１１０は、矩形の主ベース部１１１と、主ベース部１１１の長さ方向の両端部から後方側に延びる固定アーム部１１２を備えている。主ベース部１１１には、固定用の孔１１１Ａが穿設されており、上部取付け装置８０を上部取付部９０に載せ、孔１１１Ａに木ネジを打ち込むなどして、ベース部材１１０は上部取付部９０に固定されることになる。固定アーム部１１２には、図示を省略の孔の穿たれた断面Ｌ字型の固定Ｌ字金具１１２Ａが固定されている。この固定Ｌ字金具１１２Ａには、また、その孔の内側面にネジ切りのされたナット１１２Ｂがその孔と固定Ｌ字金具１１２Ａの孔と位置合わせをされた状態で固定されている。
【００２３】
ベース部材１１０の上には、収納部材１２０が載せられている。収納部材１２０は、断面略矩形の筒状に形成された収納部１２１と、収納部１２１の長さ方向の両端部付近から後方側に延びる平面視で略Ｌ字形状の可動アーム部１２２を備えている。両可動アーム部１２２の外側の縁部には、平面視Ｌ字型の第１金具１２２Ａと平面視略コの字型の第２金具１２２Ｂの下端が接続されている。第１金具１２２Ａと、第２金具１２２Ｂは背中合わせの状態で密接させられており、背中合わせにされた部分には、両者を貫通する図示を省略の孔が設けられている。この孔は、固定アーム部１１２に接続された固定Ｌ字金具１１２Ａに設けられた孔と、同軸となっている。第１金具１２２Ａと、第２金具１２２Ｂの背中合わせにされた部分に設けられた孔と、固定Ｌ字金具１１２Ａに設けられた孔には、それらをまとめて貫くボルト１２３が挿入されている。ボルト１２３は、ネジ切り部１２３Ａと頭部１２３Ｂを備え、ネジ切り部１２３Ａはナット１１２Ｂと螺合されている。ボルト１２３を回転させた場合には、ボルト１２３のネジ切り部１２３Ａはナット１１２Ｂに対して前後動を行うが、ボルト１２３Ａの頭部１２３Ｂは、第１金具１２２Ａの前面に常に密着した状態となる。つまり、ボルト１２３を任意の方向に回転させることにより、固定Ｌ字金具１１２Ａと、第１金具１２２Ａ及び第２金具１２２Ｂの背中合わせにされた部分との距離を変化させられるようになっている。
【００２４】
収納部材１２０の収納部１２１には、上下方向での移動を行えるようにして収納部１２１に取付けられた移動体１２４が収納されている。移動体１２４は、断面コの字型をしており、略コの字型に形成され、その開口が上向きになるようにして収納部１２１の内部にはめ込まれている。
【００２５】
移動体１２４の両端には、断面略コの字型の金具を移動体１２４の上からはめ合わせて固定することによって形成された格納部１２６が設けられている。格納部１２６の上面と下面には、図字を省略するが、孔が穿たれている。
【００２６】
格納部１２６は、可動部材１２７によって縦方向に貫かれている。可動部材１２７は、後述するような方法で上下動を行うものであり、それが下方に下がった場合に、その下端にある後述の突出片により水平材９１の下方に置かれた外周枠Ｘ１の上面を押圧するものである。
【００２７】
可動部材１２７は、その外周にネジ切りのされたボルト部１２７Ａと、その上端に設けられたヘッド部１２７Ｂと、その下端に設けられた円盤状の係止部１２７Ｃとを備えている。係止部１２７Ｃの下面には、鋭い突出片１２７Ｄが設けられている。
ボルト部１２７Ａは、格納部１２６の内側に収納されたその内周面にネジ切りのされたナット１２７Ｅと螺合されている。また、ボルト部１２７Ａの周囲には、第１バネ１２７Ｆが設けられている。第１バネ１２７Ｆは、その下端がナット１２７Ｅの上面に、その上端が格納部１２６の内側の上面にそれぞれ当接しているので、ナット１２７Ｅと螺合したボルト部１２７Ａを含む可動部材１２７は、所定の弾性力をもって下方に付勢された状態となる。
ベース部材１１０を水平材９１に固定したとき、可動部材１２７のボルト部１２７Ａは、格納部１２６の下面、格納部１２６の下面の下方に位置するベース部材１１０、ベース部材１１０と固定されているベース部材１１０の下方に位置する水平材９１を貫通した状態となる。
【００２８】
収納部１２１の内部には、図１１及び図１２に示すように、第２バネ１２８がある。第２バネ１２８は、その上端を収納部１２１の内側の上面と、その下端を移動体１２４の内側の下面と接続されている。第２バネ１２８は、力をかけてない状態からかなり伸ばした状態で、その両端を収納部１２１と移動体１２４にそれぞれ接続されている。これにより、移動体１２４には常に、収納部１２１の内側の上面に引き寄せられるような力がかかることになる。
収納部１２１の内側には、また、楕円形を長径と短径とに沿って４分割したうちの１つの形状に近い形状とされたカム１２５が設けられている。このカム１２５は、収納部１２１をその幅方向で貫く回転可能な軸１１３に接続されており、軸１１３を中心として９０度程度回転できるようにされており、また、その短径が略鉛直となる向きになった位置（図１１に示された位置）と、その長径が略鉛直となる向きになった位置（図１２に示された位置）という２の位置で固定できるようにされている。
【００２９】
軸１１３の後側の端部には、レバー１１４が着脱自在にされている。レバー１１４を図８、図１１、図１２の矢印で示したように回転させると、軸１１３及びカム１２５が回転するようになっている。
上述したように、移動体１２４には常に上向きの力が働いている。したがって、移動体１２４が上下方向に移動したとしても、移動体１２４は上方向に位置するカム１２５の先端に強く押接されることになる。このようにして、カム１２５の先端が、移動体１２４の下側の部材の上側の面に当接した状態が常に保たれる。
カム１２５には、その弧の長径と交わる部分と、その弧の短径と交わる部分に直線的な部分を作ってある。したがって、レバー１１４の操作によってカム１２５を回転させると、カム１２５は、図１１の状態と図１２の状態になったときに、その弧の長径と交わる部分と、短径と交わる部分に作ってある直線的な部分が移動体１２４の内側の下面に当接して安定した状態となる。これにより、カム１２５と移動体１２４は、図１１の状態と図１２の状態となったときに安定して固定された状態となる。
【００３０】
以上のような下部取付け装置１及び上部取付け装置８０は、以下のようにして用いられる。
図７は、下部取付け装置１をパチンコ遊技機設置用の島Ｙに設置した状態を示すものであり、図８は、パチンコ遊技機Ｘを島Ｙに設置した状態を示すものである。
【００３１】
まず、図７に示すように、下部取付け装置１をパチンコ遊技機設置用の島Ｙに固定する。このとき、島Ｙの島下板７１上に設けられた凹部７２の内部にフレーム部２０及び押圧体３０が位置するようにして、平板部１２の底面を島下板７１上面に当接させ、ビス止めをする。
次いで、図８に示すように、パチンコ遊技機Ｘの外周枠Ｘ１の底面が押圧体３０の上に位置するようにパチンコ遊技機Ｘを島Ｙに設置する。この実施形態では、後述するように、上部取付け装置８０により、所定の角度の傾きを与えた状態で外周枠Ｘ１の上部を固定しているため、パチンコ遊技機Ｘは上方向に移動できないようになっている。
押圧体３０による押圧を解除した状態で、本体部１０のアジャスタボルト１４を、その先端を外周枠Ｘ１の背面に当接させた状態で、ネジ方向に回転させることにより、外周枠Ｘ１の島Ｙに対する前後方向の位置を調整することができる。
【００３２】
下部取付け装置１は、押圧体３０による押圧を解除した状態で島下板７１の上面に対して略４５度の位置にある操作レバー６０を、矢印Ｒの方向へ操作レバー６０が略０度の位置にくるように引き下げることにより、外周枠Ｘ１の底面に対して押圧体３０が押圧されるようになっている。より詳細には、まず、操作レバー６０の基端を引き下げることにより、操作レバー６０は軸Ｅを中心にして矢印Ｒの方向に回動する。この回動により、操作レバー６０の先端が同じ方向に回動し、操作レバー６０の先端に軸Ｄを介して接続されたリンク片５０の基端に回動による力が同じ方向に加わる。リンク片５０の基端に加えられた力により、リンク片５０の先端は同じ方向に移動するように動き、先端付近において軸Ｃを介して接続されているアーム部４０の先端に対して同じ方向に力を加える。アーム部４０先端に加えられた力により、アーム部４０の先端は軸Ａを中心にして操作レバー６０の回動方向と同じ方向に回動する。アーム部４０の回動により、アーム部４０の先端付近が当接しているバネ押し板２４は爪用板２１に近づく方向に押圧され、爪用板２１はバネ２３を介して爪用板２１をバネ押し板２４から遠ざける方向に、つまりフレーム部２０の先端方向に付勢される。このとき、アーム部４０は軸Ｂを介してフレーム部２０に接続されているが、軸Ｂには穴Ｂ１による遊びがあるため、アーム部４０の先端の同方向への回動では、フレーム部２０には軸Ｂを介して直接力が加わらないようになっている。フレーム部２０の爪用板２１が付勢されることにより、フレーム部２０の先端は、本体部１０に接続された軸Ａを中心にして回動される。フレーム部２０の回動により、フレーム部２０の先端は略上向きに移動し、フレーム部２０の先端の爪用板２１上に設置されている押圧体３０が外周枠Ｘ１の底面を押圧する。この実施形態では、外周枠Ｘ１は木製であるため、押圧体３０に所定の力を加えると押圧体３０の３つ爪がパチンコ遊技機Ｘの外周枠Ｘ１の底面に食い込むようになっている。
【００３３】
パチンコ遊技機Ｘの固定の解除は、次のようにして行われる。すなわち、操作レバー６０の基端を引き上げることにより、操作レバー６０は軸Ｅを中心にして矢印Ｌの方向に回動する。この回動により、操作レバー６０の先端が同じ方向に回動し、操作レバー６０の先端に軸Ｄを介して接続されたリンク片５０の基端に回動による力が同じ方向に加わる。リンク片５０の基端に加えられた力により、リンク片５０の先端は同じ方向に移動するように動き、先端付近において軸Ｃを介して接続されているアーム部４０の先端に対して同じ方向に力を加える。アーム部４０先端に加えられた力により、アーム部４０の先端は軸Ａを中心にして操作レバー６０の回動方向と同じ方向に回動する。アーム部４０の回動により、アーム部４０と一体となっている軸Ｂはフレーム部２０の穴Ｂ１の外周に当接し、軸Ｂによりフレーム部２０を係止した状態でフレーム部２０を矢印Ｌの方向に回動させる。このとき、アーム部４０によるバネ押し板２４への押圧は緩み、バネ２３を介した付勢も弱くなる。フレーム部２０の回動により、押圧体３０による外周枠Ｘ１の底面に対する押圧は解除される。
【００３４】
次いで、上部取付け装置８０の使用方法について説明する。
上部取付け装置８０を使用するにあたっては、まず、上部取付け装置８０を島Ｙの水平材９１に固定する。上述したように、上部取付け装置８０は、水平材９１の上側の面に固定される。上部取付け装置８０を水平材９１に固定する場合には、水平材９１に予め設けられた２つの孔に上部取付け装置８０が有する可動部材１２７を貫通させてから、ベース部材１１０を適当な方法で水平材９１に固定する。
上部取付け装置８０の水平材９１への取付けに前後して、水平材９１の下方に突出する可動部材１２７の長さを調整するために、必要に応じて、可動部材１２７を回転させる。
【００３５】
次いで、軸１１３に取付けたレバー１１４を操作して、カム１２５を回転させる。カム１２５が回転し、第２バネ１２８からの力に抗してその全体が押し下げられて移動体１２４は下方向に移動する。これにより、カム１２５は、図１２に示された位置に位置することになる。この状態では、カム１２５の弧の長径と交わる部分が、移動体１２４に当接することになる。
移動体１２４の下方向への移動に伴って、移動体１２４の両端に設けられた格納部１２６も下方に下がる。それにより、収納部１２６に取付けられた可動部材１２７も下方に下がり、可動部材１２７の先端の突出片１２７Ｄが外周枠Ｘ１の上面に食い込んで外周枠Ｘ１の上面を下方向に押圧する。外周枠Ｘ１が木製又はアルミ製であれば、突出片１２７Ｄは問題なく外周枠Ｘ１の上面に食い込む。それにより、外周枠Ｘ１は、島下板７１と可動部材１２７によって狭持され、島Ｙに固定されることになる。
【００３６】
上部取付け装置８０によって外周枠Ｘ１を島Ｙに固定したら、レバー１１４を軸１１３から取り外す。この状態で、必要であれば、ボルト１２３を回転させ、ボルト１２３をナット１１２Ｂに対して前後動させ位置決めすることにより、収納部材１２０を前後方向で適当に位置決めする。そうすることにより、可動部材１２７によって固定された外周枠Ｘ１の上面が前後動させられるので、パチンコ遊技機Ｘの傾斜角の調整が可能となる。
上部取付け装置８０による外周枠Ｘ１の島Ｙへの固定を解除するには、細々として調整は不要であるが、基本的には上述の作業を逆に行えばよい。
【符号の説明】
【００３７】
１  下部取付け装置
１０  本体部
１０ａ  カバー部
１０ｂ、Ｂ１  穴
１１  鞍部
１２  平板部
１３  アジャスタ部
１４  アジャスタボルト
２０  フレーム部
２１  爪用板
２２  バネ軸
２３  バネ
２４  バネ押し板
３０  押圧体
４０  アーム部
５０  リンク片
６０  操作レバー
７０  下部取付部
７１  島下板
７２  凹部
８０  上部取付け装置
９０  上部取付部
９１  水平材
Ａ、Ｂ、Ｃ、Ｄ、Ｅ  軸
Ｘ  パチンコ遊技機
Ｘ１  外周枠
Ｙ  島
【図１】
2010269088.tif 000003
【図２】
2010269088.tif 000004
【図３】
2010269088.tif 000005
【図４】
2010269088.tif 000006
【図５】
2010269088.tif 000007
【図６】
2010269088.tif 000008
【図７】
2010269088.tif 000009
【図８】
2010269088.tif 000010
【図９】
2010269088.tif 000011
【図１０】
2010269088.tif 000012
【図１１】
2010269088.tif 000013
【図１２】
2010269088.tif 000014
【図１３】
2010269088.tif 000015